(57)【要約】      （修正有）【課題】一日当たりの摂取量の目安を容易に把握できるサプリメント容器を提供する。【解決手段】固形状、液体状又は粉末状のサプリメント容器であって、サプリメントを収容する容器本体１１と、容器本体の口部に取り付けられる蓋部１２と、を備え、蓋部の天面にはサプリメントを１日当たりに摂取する目安量となる数字を外部から視認できるように表記した。また、蓋部の天面に目安量を表記した数字の大きさを、横幅及び縦幅で区画される矩形において、その対角線の長さを、蓋部外径に対して１／５〜１／１とした。また、蓋部の天面側の平面形状が、円形、楕円形又は多角形であって、数字が、印刷、刻印又はラベル貼付により、蓋部の天面に表記されている。さらに、蓋部の天面に表記された目安量１５となる数字を表記した色を、サプリメントを収容する容器本体の外側にその内容物を表記した色と一致させた。【選択図】図３
0003170126.tif 000002
【実用新案登録請求の範囲】
【請求項１】
固形状、液体状又は粉末状のサプリメント用の容器であって、
前記サプリメントを収容する容器本体と、
前記容器本体の口部に取り付けられる蓋部と、を備え、
前記蓋部の天面には、
前記サプリメントを１日当たりに摂取する目安量となる数字を外部から視認できるように表記したことを特徴とするサプリメント容器。
【請求項２】
前記蓋部の天面に目安量を表記した数字の大きさであって、
その数字の横幅及び縦幅で区画される矩形において、その対角線の長さを、
前記蓋部外径に対して１／５〜１／１としたことを特徴とする請求項１記載のサプリメント容器。
【請求項３】
前記蓋部の天面側の平面形状が、円形、楕円形又は多角形であって、
前記数字が、印刷、刻印又はラベル貼付により、
前記蓋部の天面に表記したことを特徴とする請求項１又は２記載のサプリメント容器。
【請求項４】
前記蓋部の天面に表記された目安量となる数字を表記した色を、
前記サプリメントを収容する容器本体の外側にその内容物を表記した色と一致させたことを特徴とする請求項１〜３いずれか記載のサプリメント容器。
【考案の詳細な説明】
【技術分野】
【０００１】
本考案は、サプリメント容器に関し、更に詳しくは、ボトル容器や紙器パッケージのような容器中に収容されたサプリメントの、一日当たりの摂取量の目安を表示した蓋部を備えたサプリメント容器に関する。
【背景技術】
【０００２】
人体に不足しがちな栄養分を補うためのサプリメントは、ハーブ、ビタミン、ミネラル、アミノ酸などの栄養成分を１種類以上含み、栄養補給のために広く消費されている。サプリメントの形状は、錠剤（タブレット）、カプセル、ソフトカプセル、パウダー、液など、通常の食べ物の形状とは異なった形状で提供され、通常、蓋付きのボトル容器に収容されているものが多い。
サプリメントのタイプとしては、
（ａ）単一型：１種類の栄養素だけを含むもの、
（ｂ）複合型：一緒に摂るとより効果が期待できる何種類かの栄養素を組み合わせたもの、
（ｃ）マルチ型：普段の食事で不足しがちな栄養素（ビタミン・ミネラル等）をバランス良くミックスしたもの、などがある。
これらサプリメントを収容するための容器の外面には、通常、収容するサプリメントの内容を記載した表示がされている。
例えば、特許文献１（特開２００９−１５７０５５号公報）には、外装容器の中に密封されている内容物を識別するための識別ラベルであって、非Ｘ線造影材料から成る外装容器の内部に外部からは視認できない状態で収容されている内容物の表面に、内容物を識別するために貼着される識別ラベルであって、基材と、基材の下面に配置された粘着剤層と、基材の上面に配置された、硫酸バリウム粉末を含むインキを印刷して形成した識別層が配置された識別ラベルが記載されている。
【０００３】
さらに、特許文献２（実開平６−３２３０９号公報）には、文字、記号または図形の組み合せを表わした標章表示、および、この標章表示を囲む表面が平滑な枠を中空容器に形成し、前記標章表示以外の全ての領域に微細な線状凹凸を形成し、前記標章表示の表面および枠の表面と、前記凹凸との光の反射状態を明確に相違させて前記標章表示を目立たせるようにした表示付中空容器が記載されている。
【先行技術文献】
【特許文献】
【０００４】
【特許文献１】特開２００９−１５７０５５号公報
【特許文献２】実開平６−３２３０９号公報
【考案の概要】
【考案が解決しようとする課題】
【０００５】
しかしながら、特許文献１，２などの前記従来の容器体への表示は、その収容物の内容を表示するものであって、日常的に摂取するサプリメントの１日当たりの目安量を大きく明記したものではなく、消費者は、別途容器の側面などに記載された「使用上の注意」などに書かれた１日当たりの摂取量を把握しなければならない煩わしさがあった。
また、容器の側面などに記載された「使用上の注意」の文字は小さな文字で記載されているために、摂取量を誤認しやすいという欠点もあった。
さらに、「使用上の注意」は容器体の側面に表示されている場合が多いため、摂取するたびに側面の小さな文字を読むことは消費者の負担になり、１日当たりの摂取量を誤ることもあった。
そこで、本考案は、前記従来の課題を解決するためになされたもので、サプリメント容器からサプリメントを取り出すときに摂取の目安量を容易に把握でき、摂取量の誤認を防止することのできるサプリメント容器を提供することを目的とする。
【課題を解決するための手段】
【０００６】
（１）前記従来の課題を解決する本考案のサプリメント容器は、固形状、液体状又は粉末状のサプリメント用の容器であって、前記サプリメントを収容する容器本体と、前記容器本体の口部に取り付けられる蓋部と、を備え、前記蓋部の天面には前記サプリメントを１日当たりに摂取する目安量となる数字を外部から視認できるように表記したことを特徴とする。
【０００７】
（２）本考案のサプリメント容器は、前記（１）のサプリメント容器において、前記蓋部の天面に目安量を表記した数字の大きさであって、その数字の横幅及び縦幅で区画される矩形においてその対角線の長さを前記蓋部外径に対して１／５〜１／１としたことを特徴とする。
【０００８】
（３）本考案のサプリメント容器は、前記（１）又は（２）のサプリメント容器において、前記蓋部の天面側の平面形状が、円形、楕円形又は多角形であって、前記数字が、印刷、刻印又はラベル貼付により前記蓋部の天面に表記されていることを特徴とする。
【０００９】
（４）本考案のサプリメント容器は、前記（１）〜（３）のいずれかのサプリメント容器において、前記蓋部の天面に表記された目安量となる数字を表記した色が、前記サプリメントを収容する容器本体の外側にその内容物を表記した色と一致するようにしたことを特徴とする。
【考案の効果】
【００１０】
本考案によれば、その蓋部の天面にはサプリメントを１日当たりに摂取する目安量となる数字を外部から視認できるように表記されているので、サプリメント容器からサプリメントを取り出すときに摂取の目安量を容易に把握でき、摂取量の誤認を防止することのできるサプリメント容器を提供することができる。
また、前記蓋部の天面に目安量を表記した数字の大きさであって、その数字の横幅及び縦幅で区画される矩形においてその対角線の長さを前記蓋部外径に対して１／５〜１／１としているので、消費者が容易に視認できる。
さらに、前記蓋部の天面側の平面形状が円形、楕円形又は多角形であって、前記数字が印刷、刻印又はラベル貼付により前記蓋部の天面に表記されているので、容器の形状に応じて蓋部の平面形状を変えることができ、蓋の開閉を容易にすることができる。
さらにまた、前記蓋部の天面に表記された目安量となる数字を表記した色が前記サプリメントを収容する容器本体の外側にその内容物を表記した色と一致するようにしたので、目安量の異なる容器毎にそれぞれの目安量が容易に識別でき、他種類のサプリメントを組み合わせて摂取する場合などにおいて、その識別性や利便性、安全性をさらに高めることができる。
【図面の簡単な説明】
【００１１】
【図１】本考案の実施例に係るサプリメント容器の正面図である。
【図２】本考案の実施例に係るサプリメント容器の蓋部の斜視図である。
【図３】本考案の実施例に係るサプリメント容器の平面説明図である。
【考案を実施するための形態】
【００１２】
本実施形態に係るサプリメント容器は、固形状、液体状又は粉末状等の形態を有するサプリメントを収容する容器であって、前記サプリメントを収容する容器本体と、前記容器本体の口部に取り付けられる蓋部と、を備え、前記蓋部の天面には前記サプリメントを１日当たりに摂取する目安量となる数字を外部から視認できるように表記している。
これによって、サプリメントを摂取するに際して摂取の目安量を容易に確認することができるので、消費者は、安全かつ確実にサプリメントを摂取することができる。
【００１３】
本実施形態に係るサプリメント容器は、前記蓋部の天面に目安量を表記した数字の大きさであって、その数字の横幅及び縦幅で区画される矩形において、その対角線の長さを前記蓋部外径に対して１／５〜１／１としている。
これによって、蓋部の天面に表示する数字を大きくでき、高齢者などに対しても目安量表示の視認性をさらに高めることができる。
ここで、数字の横幅及び縦幅で区画される矩形において、その対角線の長さＬと前記蓋部外径Ｄとの比（Ｌ／Ｄ）が１／５より小さくなると、高齢者や視覚障害者などに対する目安量の視認性が著しく低下するので好ましくない。逆に、蓋部外径Ｄとの比（Ｌ／Ｄ）が１／１を超えると、目安量の表示部分が蓋部天面より拡大突出して開栓時におけるハンドリングに支障を生じることになる。
【００１４】
また、本実施形態に係るサプリメント容器は、前記蓋部の天面側の平面形状が、円形、楕円形又は多角形であって、前記数字が、印刷、刻印又はラベル貼付により前記蓋部の天面に表記されるようになっている。
これによって、多様な形態の容器に対応して、蓋部の天面側の平面形状を変更して蓋部の開閉を容易化するとともに、目安量の視認性に加えてデザイン性に優れたサプリメント容器を提供することができる。
【００１５】
さらに、本実施形態に係るサプリメント容器は、前記蓋部の天面に表記された目安量となる数字を表記した色を、前記サプリメントを収容する容器本体の外側にその内容物を表記した色と一致させることもできる。
これによって、目安量の異なる容器毎にそれぞれの目安量が容易に識別でき、他種類のサプリメントを組み合わせて摂取する場合などに、その識別性や利便性、安全性をさらに高めることができる。
【００１６】
以下、図面に基づいて、本考案の実施例について詳細に説明する。
図１は本実施例に係るサプリメント容器の正面図であり、図２は実施例に係るサプリメント容器の蓋部の斜視図、図３は実施例に係るサプリメント容器の平面説明図である。
【００１７】
図１に示すように、本実施例のサプリメント容器１０は、ダイエット食品などのサプリメントが収容されるボトル状の容器本体１１と、容器本体１１の口部にねじ込み式又は圧着式で取り付けられる蓋部１２と、略円筒状の蓋部１２の天面に貼着される円形ラベル１３から構成されている。
【００１８】
容器本体１１は略底付き円筒状のプラスチック容器であって、その材質として例えば、ポリエステル樹脂、ポリプロピレン樹脂、ポリカーボネート樹脂、ポリエチレン樹脂等が適用できる。
蓋部１２も容器本体１１と同様の素材で形成され、その天面に円形ラベル１３が貼付されている。
円形ラベル１３には、容器本体１１に収容するサプリメントに対応した目安量などのデータ（数字）が表示されている。
なお、円形ラベル１３を貼付する代わりに、蓋部１２の天面に直接、印刷、刻印などの手段で目安量１５のデータ（数字）を表示することもできる。
蓋部天面側の平面形状（蓋部天面を上から見た形状）としては、本実施例では円形を示しているが、その他、楕円形又は多角形であってもよく、容器本体１１の形態に応じて変更することができる。
【００１９】
容器本体１１に収容されるサプリメントは、固形状、液体状又は粉末状などの形態を有し、その内容物としては、例えば、ビタミン系、ミネラル系、アミノ酸系、ハーブ系などの動物由来、植物由来サプリメントが挙げられ、不足しがちなビタミンやミネラル、アミノ酸などの栄養補給を補助する栄養補助食品、健康補助食品として用いられる。
その他、酵素、ダイエット食品など様々な種類のサプリメントも挙げられる。
【００２０】
蓋部１２の天面に貼付される円形ラベル１３としては、例えば、上質紙、アート紙等の紙質層と、ポリエステルフィルム、ポリプロピレンフィルム、ポリエチレンフィルム、ポリ塩化ビニルフィルム等の樹脂層とからなり、このような紙質層と樹脂層とが接着剤を介して積層して構成されているものなどが挙げられる。
そして、図２に示すように、この円形ラベル１３の紙質層には、成人が一日当たりに摂取するサプリメントの目安量である「２」の数字１５が印刷手段によって表記されている。
【００２１】
また、図３に示すように、一日当たりに摂取するサプリメントの目安量１５となる数字「２」の対角線長さＬが、蓋部外形Ｄに対してその１／５以上となるように表記されている。
なお、目安量１５として表記される数字としては、「１」〜「９」までの数字が表示され、サプリメント容器１０毎に、収容しているそれぞれのサプリメントの種類に応じた目安量が表記されるようになっている。
なお、蓋部１２の天面に表記された目安量１５となる数字を表記するインクの色を、サプリメントを収容する容器本体１１の外側（容器本体の側壁）にその内容物（サプリメントの種類など、例えば、昆布、乳酸菌、ブルーベリー、イチョウ葉など）を表記１４するインクの色と一致させるようにすることで、色毎に異なる目安量を表記していることを注意喚起し、容器に収容するサプリメントの種類毎の識別性をさらに向上させることもできる。
【産業上の利用可能性】
【００２２】
本考案は、サプリメントを１日当たりに摂取する目安量となる数字を外部から視認できるように蓋部の天面に表記したことを要旨とするものであり、健康補助、栄養補助食品などとして有効なサプリメントを摂取するに際して、目安量となる数字を、サプリメント容器の口部に取り付ける蓋部に、デザイン性に配慮しつつ大きく表記しているので、消費者の利便性に寄与するとともに購買意欲を高め、産業上の利用可能性が極めて高いと云える。
【符号の説明】
【００２３】
１０    サプリメント容器
１１    容器本体
１２    蓋部
１３    円形ラベル
１４    内容物の表記
１５    目安量（数字）
【図１】
0003170126.tif 000003
【図２】
0003170126.tif 000004
【図３】
0003170126.tif 000005